【手続補正書】
【提出日】平成26年9月10日(2014.9.10)
【手続補正１】
【補正対象書類名】明細書
【補正対象項目名】発明の名称
【補正方法】変更
【補正の内容】
【発明の名称】画像表示装置、画像表示プログラム、及び画像表示方法
【手続補正２】
【補正対象書類名】明細書
【補正対象項目名】０００１
【補正方法】変更
【補正の内容】
【０００１】
本発明は、画像表示装置、画像表示プログラム、及び画像表示方法に関する。
【手続補正３】
【補正対象書類名】明細書
【補正対象項目名】０００５
【補正方法】変更
【補正の内容】
【０００５】
本発明は、このような点に鑑みてなされたものであり、その目的とするところは、従来より統一性のある画像を表示できる画像表示装置、画像表示プログラム、及び画像表示方法を提供することにある。
【手続補正４】
【補正対象書類名】明細書
【補正対象項目名】０００６
【補正方法】変更
【補正の内容】
【０００６】
上記目的を達成するため、本発明に係る画像表示装置は、
画像を表す画像情報と、前記画像の画調の種類を表す種類情報と、を対応付けて複数記憶する画像情報記憶部と、
前記画像情報記憶部から、互いに対応付けられた前記画像情報と、前記種類情報と、を複数取得する情報取得部と、
前記種類情報に基づいて、前記取得された複数の画像情報でそれぞれ表される画像が、第一画調を表す画像であるか前記第一画調とは異なる種類の第二画調を表す画像であるかを特定する特定部と、
前記特定部で特定された一方の画調で表された画像の画調を他方の画調に変換する変換部と、
前記第一画調を表す画像または前記第二画調を表す画像を表示する表示部と、を備える、
ことを特徴とする。
【手続補正５】
【補正対象書類名】明細書
【補正対象項目名】０００７
【補正方法】変更
【補正の内容】
【０００７】
本発明の画像表示装置、画像表示プログラム、及び画像表示方法によれば、従来より統一性のある画像を表示できる。
【手続補正６】
【補正対象書類名】特許請求の範囲
【補正対象項目名】全文
【補正方法】変更
【補正の内容】
【特許請求の範囲】
【請求項１】
画像を表す画像情報と、前記画像の画調の種類を表す種類情報と、を対応付けて複数記憶する画像情報記憶部と、
前記画像情報記憶部から、互いに対応付けられた前記画像情報と、前記種類情報と、を複数取得する情報取得部と、
前記種類情報に基づいて、前記取得された複数の画像情報でそれぞれ表される画像が、第一画調を表す画像であるか前記第一画調とは異なる種類の第二画調を表す画像であるかを特定する特定部と、
前記特定部で特定された一方の画調で表された画像の画調を他方の画調に変換する変換部と、
前記第一画調を表す画像または前記第二画調を表す画像を表示する表示部と、を備える、
ことを特徴とする画像表示装置。
【請求項２】
前記表示部は、前記変換部で前記第一画調に変換された画像と前記特定部で前記第一画調を表す画像であると特定された画像、または前記変換部で前記第二画調に変換された画像と前記特定部で前記第二画調を表す画像であると特定された画像、とを表示する、
ことを特徴とする請求項１に記載の画像表示装置。
【請求項３】
前記画像情報記憶部は、前記画像情報に対して、前記画像情報で表される画像を作成した作成者を識別する作成者識別情報を対応付けてさらに記憶し、
前記情報取得部は、前記画像情報記憶部から、前記画像情報と対応付けられた前記作成者識別情報をさらに取得し、
前記表示部によって画像を表示されるユーザを識別するユーザ識別情報を記憶するユーザ情報記憶部をさらに備え、
前記表示部は、前記情報取得部で取得された画像情報であって、前記ユーザ情報記憶部に記憶されたユーザ識別情報と同一の作成者識別情報と対応付けられた画像情報で表される画像を、前記取得された画像情報であって前記ユーザ識別情報と異なる作成者識別情報と対応付けられた画像情報で表される画像の表示態様と異なる表示態様で表示する、
ことを特徴とする請求項１又は２に記載の画像表示装置。
【請求項４】
画像を撮像する撮像部をさらに備え、
前記特定部は、前記撮像部で撮像された画像の色調をさらに特定し、
前記表示部は、前記ユーザ識別情報と同一の作成者識別情報と対応付けられた画像情報で表される画像を、前記特定部で特定された色調であって、前記ユーザ識別情報と異なる作成者識別情報と対応付けられた画像の色調と異なる色調で表示する、
ことを特徴とする請求項３に記載の画像表示装置。
【請求項５】
前記表示部は、前記ユーザ識別情報と同一の作成者識別情報と対応付けられた画像情報で表される画像を、前記ユーザ識別情報と異なる作成者識別情報と対応付けられた画像情報で表される画像の表示時間と異なる時間に亘って表示する、
ことを特徴とする請求項３に記載の画像表示装置。
【請求項６】
前記表示部は、
画像を表示するパネルと、
当該パネルを照らす照明と、を有し、
前記パネルが前記ユーザ識別情報と同一の作成者識別情報と対応付けられた画像情報で表される画像を表示する場合と、前記パネルが前記ユーザ識別情報と異なる作成者識別情報と対応付けられた画像情報で表される画像を表示する場合と、で、前記照明が前記パネルを照らすか否かが異なる、
ことを特徴とする請求項３に記載の画像表示装置。
【請求項７】
ユーザを検出する検出部をさらに備え、
前記表示部は、画像を表示していない状態において前記検出部でユーザが検出されると、所定時間内に前記ユーザ識別情報と異なる作成者識別情報と対応付けられた画像情報で表される画像を表示するか、前記所定時間後に前記ユーザ識別情報と同一の作成者識別情報と対応付けられた画像情報で表される画像を表示するかのいずれかを行う、
ことを特徴とする請求項３に記載の画像表示装置。
【請求項８】
ユーザを検出する検出部をさらに備え、
前記照明は、前記ユーザ識別情報と異なる作成者識別情報と対応付けられた画像情報で表される画像を前記パネルが表示する場合には、前記検出部がユーザを検出してから所定時間以内に前記パネルを照らし、前記ユーザ識別情報と同一の作成者識別情報と対応付けられた画像情報で表される画像を前記パネルが表示する場合には、前記検出部がユーザを検出してから前記所定時間以内に前記パネルを照らさない、
ことを特徴とする請求項６に記載の画像表示装置。
【請求項９】
コンピュータを、
画像を表す画像情報と、前記画像の画調の種類を表す種類情報と、を対応付けて複数記憶する画像情報記憶部から、互いに対応付けられた前記画像情報と、前記種類情報と、を複数取得する情報取得部、
前記種類情報に基づいて、前記取得された複数の画像情報でそれぞれ表される画像が、第一画調を表す画像であるか前記第一画調とは異なる種類の第二画調を表す画像であるかを特定する特定部、
前記特定部で特定された一方の画調で表された画像の画調を他方の画調に変換する変換部、
前記第一画調を表す画像または前記第二画調を表す画像を表示する表示部、として機能させる、
ことを特徴とする画像表示プログラム。
【請求項１０】
画像を表す画像情報と、前記画像の画調の種類を表す種類情報と、を対応付けて複数記憶する画像情報記憶部を備えた画像表示装置の画像表示方法であって、
前記画像情報記憶部から、互いに対応付けられた前記画像情報と、前記種類情報と、を複数取得する情報取得ステップと、
前記種類情報に基づいて、前記取得された複数の画像情報でそれぞれ表される画像が、第一画調を表す画像であるか前記第一画調とは異なる種類の第二画調を表す画像であるかを特定する特定ステップと、
前記特定ステップで特定された一方の画調で表された画像の画調を他方の画調に変換する変換ステップと、
前記第一画調を表す画像または前記第二画調を表す画像を表示する表示ステップと、を含む、
ことを特徴とする画像表示方法。